(57)【特許請求の範囲】
【請求項１】
スライド側に固定される上型ホルダ内に下方へ抜け出し可能に、係止部材にて係脱可能に上型セットを保持した上型装置と、
プレス機械の基台側に固定される下型ホルダ内に上方へ抜け出し可能に下型を収納固定し、またこの下型ホルダ内に下型取出用リングの上昇にて下型を下型ホルダの上面より上方へ上昇させる下型上昇手段を設けた下型装置と、
筒状に形成され、下部が上記下型上昇手段の下型取出用リングの上端部に、また上部が上記上型装置の下端部に、それぞれ同心状に嵌合可能に組み付ける上型取付取外用治具とからなる
ことを特徴とするプレス機械の金型装置。
【請求項２】
下型ホルダ内の下型を、下型ホルダ内に設けた下型上昇手段の下型取出用リングを上昇させることにより下型ホルダの上面より上方へ上昇させて下型ホルダより取外し、
ついで上昇状態の上記下型上昇手段の下型取出用リング上に筒状に形成された上型取付取外用治具を同心状に載置し、
スライドを下降すると共に、上型ホルダから上型セットを下方へ抜け出して上記上型取付取外用治具上に同心状に載置し、
上型取付取外用治具より上型セットを取外すようにしたことを特徴とするプレス機械の金型交換方法。
【発明の詳細な説明】
【０００１】
【発明の属する技術分野】
本発明は、プレス機械の金型装置及び金型交換方法に関するものである。
【０００２】
【従来の技術】
プレス機械の金型装置は、下型セットを下型ホルダ内に収納した下型装置と、上型セットを上型ホルダ内に収納した上型装置とからなり、それぞれの装置は、それぞれのホルダを下型プレート、上型プレートに固定することによりボルスタ及びスライドに固定されるようになっている。
【０００３】
そして従来のこの種の金型装置は、上記下型装置と上型装置のそれぞれが１組として取り扱われていて、下型及び上型を交換するには、上記両装置を各ホルダごとボルスタ及びスライドから離脱し、機外にてチエンホイスト等にて各ホルダに対して下型及び上型をこれの周囲のプレートと共に上方へ抜き出し分解するようになっていた。
【０００４】
【発明が解決しようとする課題】
上記従来の金型装置では、下型、上型の交換の度に両金型装置を各ホルダごとプレス機械の機外へ取り出さなければならず、その上各ホルダより、下型、上型をこれの周囲に嵌合されるプレート等と共に上方へ抜き出さなければならないことにより、この下型、上型の交換に多大な作業時間を要するという問題があった。
【０００５】
本発明は上記のことに鑑みなされたもので、下型装置と上型装置からなる金型装置の上型装置において、上型セットの交換を上型ホルダを上型プレートから離脱することなく、上型セットを容易に交換することができるようにし、また、この上型と共に、下型セットの下型を容易に離脱できるようにしたプレス機械の金型装置及び金型交換方法を提供することを目的とするものである。
【０００６】
【課題を解決するための手段】
上記目的を達成するために、本発明に係るプレス機械の金型装置は、スライド側に固定される上型ホルダ内に下方へ抜け出し可能に、係止部材にて係脱可能に上型セットを保持した上型装置と、プレス機械の基台側に固定される下型ホルダ内に上方へ抜け出し可能に下型を収納固定し、またこの下型ホルダ内に下型取出用リングの上昇にて下型を下型ホルダの上面より上方へ上昇させる下型上昇手段を設けた下型装置と、筒状に形成され、下部が上記下型上昇手段の下型取出用リングの上端部に、また上部が上記上型装置の下端部に、それぞれ同心状に嵌合可能に組み付ける上型取付取外用治具とからなる構成になっている。
【０００８】
また、本発明に係るプレス機械の金型交換方法は、下型ホルダ内の下型を、下型ホルダ内に設けた下型上昇手段の下型取出用リングを上昇させることにより下型ホルダの上面より上方へ上昇させて下型ホルダより取外し、ついで上昇状態の上記下型上昇手段の下型取出用リング上に筒状に形成された上型取付取外用治具を同心状に載置し、スライドを下降すると共に、上型ホルダから上型セットを下方へ抜け出して上記上型取付取外用治具上に同心状に載置し、上型取付取外用治具より上型セットを取外すようにした。
【０００９】
【作  用】
上型セットは係止部材をゆるめることにより上型セットが上型ホルダから抜け落ちる。そしてこの上型セットを構成する各部材は、上型ホルダから抜け落ちた状態で分解される。
【００１０】
【発明の実施の形態】
本発明の実施の形態を図面に基づいて説明する。図中１はボルスタ上に固定される下型プレート、２はスライドの下面に固定される上型プレート、３は下型プレート１に固定される下型装置、４は上型プレート２に固定される上型装置である。
【００１１】
下型装置３は、下型プレート１に固着される下型ホルダ５、この下型ホルダ５内に収納される下型セット６とからなり、この下型セット６は下型プレート１上に載置されたリングプレート７、下型ホルダ５内に上下方向に摺動可能にして上記リングプレート７上に載置された下型６ａ、リングプレート７の軸心部に上下方向に移動可能に配置され、上端を下型６ａに臨ませ、下端をノックアウトピン８の先端に対向させたノックアウト９、下型プレート１上に載置され、リングプレート７の外側に嵌合する組付リング１０、組付リング１０と下型ホルダ５の間に嵌合され、軸方向にリフトピン１１を案内するリフトピン案内部材１２、リフトピン案内部材１２と下型６ａとの間に上下方向に移動可能に配置される下型取出用リング１３等とからなっている。リフトピン１１の上端はこの下型取出リング１３の下面に対向されている。下型６ａは上記リングプレート７上に載置された状態でクランプ部材１４にて下型ホルダ５に固定されている。
【００１２】
下型６ａは、クランプ部材１４を外した状態でリフトピン１１を突き上げることにより、下型取出用リング１３を介して、これの下面が下型ホルダ５の上面より上方に位置する高さまで押上げられるようになっている。
【００１３】
上型装置４は、上型プレート２に固着される上型ホルダ１５と、この上型ホルダ１５内に下方へ抜け出し可能に収納される上型セット１６とからなっており、この上型セット１６は上型ホルダ１５に放射状に複数設けた係止ボルト１７にて係止されている。
【００１４】
上型セット１６は、上下に重ねた上型プレート部材１８と上型ケース１９、この上型ケース１９内から上方へ抜け出されるように同心状に嵌合した上型であるパンチ２０とインナケース２１等からなっている。そして上型ケース１９の先端外周に上記係止ボルト１７の先端が係止する係止面１９ａが設けてある。またこの上型ケース１９の先端部外周に円筒部２２が設けてある。
【００１５】
上型セット１６の上型プレート部材１８、上型ケース１９及びパンチ２０、インナケース２１のそれぞれの上面にはそれぞれ吊りタップ２３，２３…が設けてあり、これらに吊り金具を螺合してワイヤ等で吊り上げ可能になっている。
【００１６】
上記構成において、下型６ａ内に素材を投入してスライドを下降して上型装置４を下降することにより、この素材が下型６ａとパンチ２０、インナケース２１とにより図１に示すように成形品２４に成形される。そしてこの成形品２４は、上型装置４を上昇後、ノックアウト９を上昇させることにより下型６ａより取出される。
【００１７】
次に、下型装置３及び上型装置４において、下型６ａ及び上型セット１６を交換する手順を説明する。
【００１８】
下型６ａの交換は上型装置４を上昇させた状態で行われる。まず図１において、クランプ部材１４を外して下型ホルダ５に対するクランプを解除し、ついでリフトピン１１を上昇させてこれの上端にて下型取出用リング１３を上昇し、図２に示すように、下型６ａを、これの下端が下型ホルダ５の上端より上側になるまで上昇させる。ついで、この下型６ａを横方向に移動し、あるいは吊り上げ移動して例えば上型ホルダ５の側方に用意した図示しない台上に移動することにより下型６ａを外部に取出す。新しい下型６ａを下型ホルダ５にセットするには、上記取り出しの手順を逆に行う。
【００１９】
上型セット１６の交換を図３、図４に基づいて説明する。なお、この上型セット１６の交換は、上記した下型６ａの交換作業の途中に、すなわち、下型６ａを下型ホルダ５より取外した状態で行われる。そして、この上型セット１６の交換には筒状の上型取付取外用治具２５が用いられる。
【００２０】
上記上型取付取外用治具２５は、下部に下型取出用リング１３の内周に嵌合する下側嵌合部２５ａが、また上部に上型ケース１９の下端外周に設けた円筒部２２に嵌合する上側嵌合部２５ｂを有している。
【００２１】
図３に示すように、上記作用にて、下型６ａを下型ホルダ５より外部へ取出した状態で、上昇状態にある下型取出用リング１３上に上型取付取外用治具２５を組付ける。ついで上型４の下面が上記上型取付取外用治具２５の上面に対してわずかに隙間があく位置までスライドを下降する。その後、リフトピン１１を突き上げて下型取出用リング１３を上記隙間分だけ上昇して上型取付取外用治具２５の上面に上型ケース１９に接触させる。このとき上型ケース１９の円筒部２２が取外用治具２５の上側嵌合部２５ｂに同心状に嵌合する。
【００２２】
ついで係止ボルト１７をゆるめて、これの先端を上型ホルダ１５の内面より引っ込めると、この係止ボルト１７による係止が外れ、この状態でスライドを上昇することにより図４に示すように、上型セット１６が上型取付取外用治具２５に載置されたまま、上型ホルダ１５が上昇する。
【００２３】
この状態でスライドを上死点まで移動して上型ホルダ１５をさらに上昇させ、この上型ホルダ１５と上記上型ホルダ１５より抜け落ちた上型セット１６との間の空間を広く確保して上型プレート１８、パンチ２０、インナケース２１、上型ケース１９の順でそれぞれ取外す。これらの取外しはそれぞれの上面に設けた吊りタップ２３に吊り具を螺合してワイヤ等で吊り上げることによって行われる。このとき下型取外用リング１３を下降させて上型プレート１８の上面を低くすれば、これらの取出しが容易になる。
【００２４】
また、別の上型セットを上型ホルダに装着するときには、この上型セットを上型取付取外用治具に載置してからスライドを下降してこれを上型ホルダ内に収納し、係止ボルトにて係止する。このとき、上型セットは上型取付取外用治具により上・下のホルダと同心状に配置されることにより上型セットと上型ホルダとの組み立てが容易に行われる。
【００２５】
【発明の効果】
本発明によれば、上型セットを収納する上型ホルダをスライドから離脱することなく、上型セットを下方へ離脱することができ、この上型セットの交換を容易に行うことができ、また下型装置の下型も、下型ホルダから容易に離脱することができ、これにより本発明では、下型装置と上型装置のそれぞれの成形型の交換を容易に行うことができる。
【００２６】
また、本発明方法によれば、上記上型セットを、上型及び上型ホルダに対して同心状を保持した状態で離脱することができ、また別の上型セットを上型ホルダに装着する際に、これを上型取付取外用治具上にホルダと同心状に配置できることにより、この上型セットの上型ホルダに対する離脱・装着を容易に行うことができる。
【図面の簡単な説明】
【図１】本発明に係る金型装置を示す断面図である。
【図２】下型の離脱状態を示す断面図である。
【図３】上型の離脱行程を示す断面図である。
【図４】上型の離脱行程を示す断面図である。
【符号の説明】
１…下型プレート、２…上型プレート、３…下型装置、４…上型装置、５…下型ホルダ、６…下型セット、６ａ…下型、７…リングプレート、８…ノックアウトピン、９…ノックアウト、１０…組付リング、１１…リフトピン、１２…リフトピン案内部材、１３…下型取出用リング、１４…クランプ部材、１５…上型ホルダ、１６…上型セット、１７…係止ボルト、１８…上型プレート部材、１９…上型ケース、２０…パンチ、２１…インナケース、２２…円筒部、２３…吊りタップ、２４…成形品、２５…上型取付取外用治具。
【図１】
0003968701.tif 000002
【図２】
0003968701.tif 000003
【図３】
0003968701.tif 000004
【図４】
0003968701.tif 000005